(57)【要約】      （修正有）【課題】個人の仕事及び生活面の目標を明確にし、かつその目標を達成するために活動した時間を記録して目標ごとに集計及び管理することで有効な時間の使い方を実現していくタイムマネジメントダイアリーを提供する。【解決手段】仕事及び生活分野ごとの年間目標記入欄を表示したダイアリーであって、日次予定記入欄２０の下部に仕事及び生活分野ごとの目標に対応した活動を行なった時間を記入する日次活動時間記入欄２１，２２，２３，２４，２５，２６，２７，２８を表示し、１週間及び１か月間ごとに前記日次活動時間を集計する欄を表示した。【選択図】図２
0003160915.tif 000002
【実用新案登録請求の範囲】
【請求項１】
年間目標記入欄を表示したダイアリーであって、仕事及び生活分野ごとの達成目標を記入することを特徴とするタイムマネジメントダイアリー。
【請求項２】
日次活動時間記入欄を表示したダイアリーであって、日次予定記入欄の下部に仕事及び生活分野ごとの目標に対応した活動を行なった時間を記入することを特徴とするタイムマネジメントダイアリー。
【請求項３】
仕事及び生活分野ごとの目標に対応する活動を行なった時間を集計する欄を表示したダイアリーであって、１週間及び１か月間のうち前記仕事及び生活分野ごとの目標に対応した時間の使い方を検証することを特徴とするタイムマネジメントダイアリー。
【考案の詳細な説明】
【技術分野】
【０００１】
本考案は、個人の仕事及び生活面の目標を明確にし、かつその目標を達成するために活動した時間を記録して目標ごとに集計及び管理することで有効な時間の使い方を実現していくタイムマネジメントダイアリーに関する。
【背景技術】
【０００２】
従来、一定期間（月間）に行なうべき業務内容を明確にし、かつ業務遂行のための時間管理を確実に行なうことを目的とした時間管理手帳があった。特許文献１に示すものは、枠外上余白に月次表示欄と、枠内左側にアクションプラン欄、優先順位欄、必要日数欄、タイムプラン欄を、下部に業務日数欄を構成し、前記ウイークリーアクションプランの枠内右側に、要処理業務欄、優先順位欄、必要時間欄を、下部に必要時間数欄及び業務時間欄を構成し、前記デイリーアクションプランの枠内右側に要処理業務欄、優先順位欄、必要時間欄、摘要（スケジュール調整）欄を、下部に必要時間欄及び業務時間欄を構成したことを特徴とする時間管理ノートである。
【先行技術文献】
【特許文献】
【０００３】
【特許文献１】実用新案登録第３１２４４１５号
【考案の概要】
【考案が解決しようとする課題】
【０００４】
従来の時間管理手帳は、目標と計画を一致させることに主眼が置かれ、かつ記入内容及び方法が詳細であるため、計画立案が煩雑であるとともに、その計画を実行するにあたって困難を伴うものであった。
【０００５】
反面、実際に実行された活動を記録する機能は十分ではなく、目標及び計画に対する実践の適合性を判断することができないものが大半である。このため、目標達成に必ずしも寄与しない計画立案及び活動を行なう場合も少なくない。
【０００６】
本考案は、上記の課題を解決するものであり、目標及び計画並びに実践における相互の適合性を高めることを目的とするものである。
【課題を解決するための手段】
【０００７】
本考案は、年間目標記入欄を表示したダイアリーであって、仕事及び生活分野ごとの達成目標を記入することを特徴とするものである。
【０００８】
また本考案は、日次活動時間記入欄を表示したダイアリーであって、日次予定記入欄の下部に仕事及び生活分野ごとの目標に対応した活動を行なった時間を記入することを特徴とするものである。
【０００９】
さらに本考案は、仕事及び生活分野ごとの目標に対応する活動を行なった時間を集計する欄を表示したダイアリーであって、１週間及び１か月間のうち前記仕事及び生活分野ごとの目標に対応した時間の使い方を検証することを特徴とするものである。
【考案の効果】
【００１０】
本考案は、仕事及び生活分野ごとの目標に基づいた計画を立案するとともに、実際の活動と目標達成の関連を１日ごとに確認することができるため、活動の実態に基づいた時間管理が可能である。また目標達成に関連する活動をその時間的側面に限定して把握することで目標の量的管理を行い、１週間や１か月間など任意の期間を設定して比較的容易に自己目標を管理することができる。
【図面の簡単な説明】
【００１１】
【図１】年間目標記入欄の構成を示す説明図
【図２】週間計画表右半部の構成を示す説明図
【図３】月次活動時間集計欄の構成を示す説明図
【考案を実施するための形態】
【００１２】
ダイアリーの全体構成は、表表紙と裏表紙とよりなる表紙と、表紙の間に綴じ込んだ複数枚の紙葉とにより構成するノート形式の印刷物である。
【００１３】
ダイアリーの巻頭に図１に示す年間目標記入欄を表示する。年間目標記入欄は、仕事及び日常生活における活動分野を複数に区分し、ダイアリーの使用者が各分野において達成したい目標と達成基準及び手段を記入することを想定した空白枠あるいは罫線を備える。
【００１４】
ダイアリーの年間目標記入欄に続く位置に、図２に示す日次予定記入欄及び日次活動時間記入欄を備えた週間計画表を表示する。紙面の隣り合う左右２頁を１単位面とし、１年間５２週分にあたる５２単位面程度備える。この単位面には縦方向に記した複数の区分線により８区画の記入枠を表記し、それぞれ７日分の日次予定欄及び一集計枠として使用する。各日次予定欄は、上部を予定記入枠とし、下部を目標項目ごとの活動時間記入枠とする。
【００１５】
また一単位面の最右の枠を集計枠とし、左部の７枠に記入された活動時間を小計するための記入部を表記する。この集計枠の上部には、一単位面の見出しとして１月第２週あるいは２０１０年第３０週など当該週名を表記するほか、当該月のカレンダー及びメモ欄として使用してもよい。
【００１６】
ダイアリーの一定期間にわたる週間計画表に続く位置に、図３に示す当該月の月次活動時間集計欄を計１２か月分表示する。月次活動時間集計欄は、紙面の下部に目標分野と合計時間及びコメントを記入する枠を備えた表形式で表記する。紙面の上部はフリーノート欄やグラフ記入欄として使用することもでき、かつこの紙面を他の紙面より横方向に長い用紙を用いて折り畳み式にし、記入時に広げて集計を行なう構造を採用すれば使用者の利便性が増す。
【実施例】
【００１７】
年間目標記入欄の利用にあたっては、仕事分野で達成したい目標を１０aに記入し、その達成基準及び手段を１０ｂに記入する。ほかに仕事分野で達成したい目標があれば１１ａに記入し、その達成基準及び手段を１１ｂに記入する。記入する目標数は最多で表示された空白枠あるいは罫線に対応する項目数を記入することができる（１２a，１２ｂ，１３ａ，１３ｂ）。また日常生活の目標では、趣味の分野で達成したい目標を１４ａに記入し、その達成基準及び手段を１４ｂに記入する。さらに健康の分野で達成したい目標を１５ａに記入し、その達成基準及び手段を１５ｂに記入する。さらには社交の分野で達成したい目標を１６aに記入し、その達成基準及び手段を１６ｂに記入する。その他の分野で達成したい目標があれば、これを１７ａに記入し、その達成基準及び手段を１７ｂに記入する。
【００１８】
週間計画表の利用にあたっては、まず日次予定記入欄２０に確定した予定を記入する。次に日程が終了した段階で当日の行動を振り返り、日次活動時間記入欄２１，２２,２３，２４，２５，２６，２７，２８にそれぞれの項目に対応する目標達成のための活動時間を記入する。集計枠２９には、前記７日分の目標達成のための活動時間を小計して記入しておく。
【００１９】
月次活動時間集計欄の利用にあたっては、最初にフリースペース３０に月次活動の総括を記入する。次に前記２９に小計した活動時間を１か月間分の単位面を合計して３１ａ，３２ａ，３３ａ，３４ａ，３５ａ，３６ａ，３７ａ，３８ａに記入する。さらに、ここで明らかになった各分野に対する月次活動時間を基に目標達成に際しての課題をコメント欄３１ｂ，３２ｂ，３３ｂ，３４ｂ，３５ｂ，３６ｂ，３７ｂ，３８ｂに記入する。以降このコメントに従って計画立案及び予定確定並びに目標達成のための活動を行なう。
【００２０】
年間目標記入欄と週間計画表と月次活動時間集計欄の配置は、年間目標記入欄１に対して、週間計画表４単位面から５単位面と月次活動時間集計欄の並びを１年分に当たる計１２回程度繰り返すものである。年間目標記入欄と週間計画表との間あるいは月次活動時間集計欄と次回の週間計画表との間に年間カレンダーや月次カレンダー等を挿入してもよく、巻末には自由記入欄や情報欄等を設けても効果的である。
【符号の説明】
【００２１】
１０ａ  仕事１目標欄
１０ｂ  仕事１達成基準及び手段欄
１１ａ  仕事２目標欄
１１ｂ  仕事２達成基準及び手段欄
１２ａ  仕事３目標欄
１２ｂ  仕事３達成基準及び手段欄
１３ａ  仕事４目標欄
１３ｂ  仕事４達成基準及び手段欄
１４ａ  趣味目標欄
１４ｂ  趣味達成基準及び手段欄
１５ａ  健康目標欄
１５ｂ  健康達成基準及び手段欄
１６ａ  社交目標欄
１６ｂ  社交達成基準及び手段欄
１７ａ  その他目標欄
１７ｂ  その他達成基準及び手段欄
２０  日次予定記入欄
２１  仕事１日次活動時間記入欄
２２  仕事２日次活動時間記入欄
２３  仕事３日次活動時間記入欄
２４  仕事４日次活動時間記入欄
２５  趣味日次活動時間記入欄
２６  健康日次活動時間記入欄
２７  社交日次活動時間記入欄
２８  その他日次活動時間記入欄
２９  集計枠
３０  フリースペース
３１ａ  仕事１月次活動時間集計欄
３１ｂ  仕事１コメント欄
３２ａ  仕事２月次活動時間集計欄
３２ｂ  仕事２コメント欄
３３ａ  仕事３月次活動時間集計欄
３３ｂ  仕事３コメント欄
３４ａ  仕事４月次活動時間集計欄
３４ｂ  仕事４コメント欄
３５ａ  趣味月次活動時間集計欄
３５ｂ  趣味コメント欄
３６ａ  健康月次活動時間集計欄
３６ｂ  健康コメント欄
３７ａ  社交月次活動時間集計欄
３７ｂ  社交コメント欄
３８ａ  その他月次活動時間集計欄
３８ｂ  その他コメント欄
【図１】
0003160915.tif 000003
【図２】
0003160915.tif 000004
【図３】
0003160915.tif 000005
【手続補正書】
【提出日】平成22年5月10日(2010.5.10)
【手続補正１】
【補正対象書類名】実用新案登録請求の範囲
【補正対象項目名】全文
【補正方法】変更
【補正の内容】
【実用新案登録請求の範囲】
【請求項１】
巻頭に年間目標記入欄を表示したダイアリーであって、仕事及び生活分野ごとの達成目標を記入することを特徴とするタイムマネジメントダイアリー。
【請求項２】
日次活動時間記入欄を表示したダイアリーであって、日次予定記入欄の下部に仕事及び生活分野ごとの目標に対応した活動を行なった時間を記入することを特徴とする請求項１記載のタイムマネジメントダイアリー。
【請求項３】
仕事及び生活分野ごとの目標に対応する活動を行なった時間を集計する欄を表示したダイアリーであって、一定期間の日次活動時間記入欄に続く位置に活動時間集計欄を設けたことを特徴とする請求項１または請求項２記載のタイムマネジメントダイアリー。